(57)【要約】【課題】遊技盤の後方への不正アクセスを防止することができる遊技機枠ユニットを提供すること。【解決手段】この遊技機枠ユニットは、遊技盤の後面の少なくとも一部を覆う閉鎖位置と、開放する開放位置と、の間を移動する開閉部材４２と、閉鎖位置の開閉部材４２の移動を規制するロック部材４３と、ロック位置のロック部材４３の移動を規制する規制部材４４と、を備え、規制部材４４は、外力が加えられることにより非規制状態に変形し、外力を除去されることにより非規制状態から規制状態に戻る。【選択図】図６
2011139763.tif 000002
【特許請求の範囲】
【請求項１】
遊技盤を保持する遊技機枠と、
該遊技機枠に対して揺動開閉され、該遊技機枠に保持された該遊技盤の後面の少なくとも一部を覆う閉鎖位置と、該後面を開放する開放位置と、の間を移動する開閉部材と、
該閉鎖位置の該開閉部材の移動を規制するロック位置と、該移動を規制しない非ロック位置と、の間を移動するロック部材と、
該ロック位置の該ロック部材の移動を規制する規制状態と、該移動を規制しない非規制状態と、を実現する規制部材と、を備える遊技機枠ユニットであって、
該規制部材は、外力が加えられることにより該非規制状態に変形し、かつ該外力が除去されることにより該非規制状態から該規制状態に戻るように構成されている、遊技機枠ユニット。
【請求項２】
前記規制部材は、前記ロック部材と対向する傾斜面を有し、前記規制状態において前記ロック位置から前記非ロック位置に向かう該ロック部材の移動方向の延長線上に配置されており、
該規制状態において該ロック部材が該ロック位置から該非ロック位置に向かって移動することによって、該規制部材が該規制状態から該非規制状態に向かう方向と反対方向に変形するように構成されている、請求項１に記載の遊技機枠ユニット。
【請求項３】
前記規制部材は、合成樹脂によって形成されており、前記非規制状態から前記規制状態に弾性変形するように構成されている、請求項１又は請求項２に記載の遊技機枠ユニット。
【請求項４】
前記規制部材の所定範囲外の変形を規制するストッパ部材を更に備えており、
該所定範囲は、該規制部材が弾性変形する範囲であって、かつ該規制部材が塑性変形しない範囲である、請求項３に記載の遊技機枠ユニット。
【請求項５】
前記開閉部材は、前記遊技盤の表面を流下する遊技球が入球する入球部材の後方を覆うように配置される、請求項１から請求項４のいずれかに記載の遊技機枠ユニット。
【発明の詳細な説明】
【技術分野】
【０００１】
本発明は、遊技盤の後面を開閉する開閉部材の移動を規制するロック部材を備える遊技機枠ユニットに関する。
【背景技術】
【０００２】
パチンコ機等の遊技機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技球は、遊技領域上に配置された各種入賞口（入球口）に入賞したり、入賞せずにアウト口に導かれたりする。
【０００３】
各種入賞口には、遊技球の通過を検出する球通過検出手段が設けられており、この球通過検出手段による遊技球の検出を契機として所定の賞球払出しがなされる。また、球通過検出手段によって検出された遊技球は、遊技盤の背面に設けられた球通路に導かれ、球通路を通過した後に遊技機の下方に集められて、遊技済球として遊技機外に排出される。
【０００４】
球通路は、遊技機の下方に遊技球を排出するため、その球出口は開放されており、近年、球出口から球通路内に不正具が挿入される不正行為が行われている。この不正行為は、球出口から球通路内に不正具等を挿入し、球通路内の遊技球を逆流させて球通過検出手段を通過した遊技球を再度球通過検出手段によって検出させたり、不正具によって球通過検出手段を誤作動させたりして、不正に賞球の払出しをさせることにより行われる。このような不正行為がなされると、公平な遊技を実現できなくなる。
【０００５】
このような問題に鑑みて特許文献１には、入賞球を検出する検出孔を有する入賞球検出スイッチを誤作動させて賞球を不正に獲得するという不正行為を抑制するパチンコ機が記載されている。このパチンコ機は、入賞球検出スイッチの検出孔の下側に、検出孔への外部からの異物（不正具）の侵入を防止するための蓋部材を備えている。蓋部材は、定常時は付勢手段によって閉状態に保たれ、入賞時は落下してくる入賞球の重さによって開いて入賞球を通過させ、入賞球の通過後は付勢手段によって閉状態に戻るように構成されている。
【０００６】
このパチンコ機は、パチンコ機前面の下受け皿から針金等の異物が差し込まれ入賞球検出スイッチを誤作動させようとしても、閉状態にある蓋部材が検出孔への異物の侵入を邪魔するように構成されている。
【先行技術文献】
【特許文献】
【０００７】
【特許文献１】特開２００１−１４５７５６号公報
【発明の概要】
【発明が解決しようとする課題】
【０００８】
また、遊技球が入球する入球装置は、遊技盤を前後方向に貫通して装着されており、遊技盤の前面に設けられた遊技領域を流下する遊技球を流入させ、流入した遊技球を遊技盤の後方に導くように構成されている。遊技盤の後方から入球装置にアクセスされることにより、入賞球検出スイッチを誤作動させて賞球を不正に獲得するという不正行為が行われる可能性がある。したがって、不正行為を防ぐために遊技盤の後方を開放し難くする必要がある。
【０００９】
遊技盤の後方には、遊技を制御する各種制御手段を収容する制御基板ケースや各種遊技部品が装着されている。制御基板ケースは、遊技盤を内包する遊技機枠に固定されており、通常の遊技中は遊技盤の後方を覆うように配置されている。しかし、制御基板の検査等メンテナンスを実施する際は、制御基板ケース等を外して遊技盤の後方を開放する必要がある。したがって、遊技盤の後方に装着された制御基板ケース等の遊技部品は、取り外し可能に構成されていたり、開閉可能に構成されていたりする。
【００１０】
このとき、遊技盤の後方に装着された遊技部品が容易に取り外されたり、開放されたりするように構成されていると、不正具によって遊技盤の後方を覆う遊技部品を外されてしまい、遊技盤の後面に容易にアクセスされてしまうおそれがある。
【００１１】
本発明は、上記の事情に鑑みて為されたもので、遊技盤の後方を開閉可能に構成された開閉部材を有する遊技機枠ユニットにおいて、開閉部材の開閉移動を規制し、遊技盤の後方への不正アクセスを防止することができる遊技機枠ユニットを提供することを例示的課題とする。
【課題を解決するための手段】
【００１２】
本発明の例示的な側面としての遊技機枠ユニットは、遊技盤を保持する遊技機枠と、遊技機枠に対して揺動開閉され、遊技機枠に保持された遊技盤の後面の少なくとも一部を覆う閉鎖位置と、後面を開放する開放位置と、の間を移動する開閉部材と、閉鎖位置の開閉部材の移動を規制するロック位置と、規制を解除した非ロック位置と、の間を移動するロック部材と、ロック位置のロック部材の移動を規制する規制部材と、を備える遊技機枠ユニットであって、規制部材は、外力が加えられることにより非規制状態に変形し、かつ外力が除去されることにより非規制状態から規制状態に戻るように構成されている。
【００１３】
開閉部材は、遊技機枠に対して揺動開閉するように構成されており、遊技機枠に装着された遊技盤の後面の少なくとも一部を覆う閉鎖位置と、遊技盤の後方を開放した開放位置と、の間を移動する。ロック部材は、開閉部材が遊技盤の後面を覆う閉鎖位置において開閉部材の移動を規制するロック位置と、移動を規制しない（規制を解除した）非ロック位置と、の間を移動する。したがって、ロック部材によって開閉部材が閉鎖位置から開放位置へ移動することを規制して、不正に遊技盤の後方が開放されることを防止することができる。
【００１４】
また、規制部材は、外力が加えられることによりロック位置のロック部材の移動を規制しない非規制状態に変形し、かつ外力を除去されることにより非規制状態から規制状態に戻るように構成されており、ロック位置のロック部材の移動を規制する規制状態と、移動を規制しない非規制状態と、を実現する。したがって、規制部材によってロック位置から非ロック位置へのロック部材の移動を規制して、ロック部材による開閉部材の移動規制を維持することができる。
【００１５】
このようにロック部材と規制部材とが設けられているため、開閉部材を開放位置とするためには、まず、規制部材に対して外力を付加して、規制部材によるロック部材に対する移動規制を解除する。次いで、規制部材による移動規制を解除した状態で、ロック部材をロック位置から非ロック位置に移動して、ロック部材による開閉部材の移動規制を解除する。そして、開閉部材を閉鎖位置から開放位置に移動することができる。
【００１６】
すなわち、規制部材によるロック部材の移動規制と、ロック部材による開閉部材の移動規制と、を解除しなければ開閉部材を閉鎖位置から開放位置に移動することができないため、遊技盤の後面に対する不正アクセスをし難くすることができる。また、規制部材を一旦非規制状態に変形させても、外力を除去すると元の規制状態に戻るように構成されているため、規制部材に対して外力を加えた状態でロック部材を操作しなければ開閉部材を開放位置に移動することができない。
【００１７】
規制部材の外力の付加とは、例えば、手指等による押圧である。手指等で押圧することにより規制部材を変形させると、開閉部材の移動操作を片手で操作することは困難であり、両手で開閉部材の移動操作を行う必要がある。すなわち、単なるスライド移動等、単純な操作のみでは開閉部材の移動規制を解除できず、不正なアクセスを効果的に防止することができる。具体的には、遊技機枠に対して不正具が挿入され、規制部材の規制が解除された場合であっても、規制部材の規制を解除した状態でロック部材を移動することができないため、不正具による遊技盤の後面への不正アクセスを防止することができる。
【００１８】
このように、不正具等による開閉部材の開閉操作を難しくすることにより、遊技盤の後面へのアクセスを防止して、入賞球検出スイッチを誤作動させて賞球を不正に獲得するという不正行為を防止することができる。
【００１９】
なお、規制部材の変形方向と、ロック部材の移動方向と、を異ならせることにより、不正具等による操作を更にし難くすることができ、効果的に不正行為を防止して、セキュリティー性を高めることができる。
【００２０】
また、ロック部材は、開閉部材と別個に設けられ、開閉部材と係合するように構成されていてもよいし、開閉部材と一体化して設けられ、遊技機枠と係合することによって開閉部材の移動を規制するように構成されていてもよい。
【００２１】
また、規制部材は、ロック部材と対向する傾斜面を有し、規制状態においてロック位置から非ロック位置に向かうロック部材の移動方向の延長線上に配置されており、規制状態においてロック部材がロック位置から非ロック位置に向かって移動することによって、規制部材が規制状態から非規制状態に向かう方向と反対方向に移動するように構成されていてもよい。
【００２２】
このように構成された規制部材によれば、規制状態においてロック部材がロック位置から非ロック位置に向かって移動すると、ロック部材によって押圧され、規制状態から非規制状態に向かう方向と反対方向に変形する。したがって、規制部材によるロック部材の移動規制が解除されていない（規制部材によってロック部材の移動を規制している）規制状態において、ロック部材が非ロック位置に向かって移動した場合であっても、規制部材は、規制を解除する方向と逆方向に移動して、更に非規制状態から遠ざかる。このように、不正行為を起因として規制部材によるロック部材の移動規制が解除されることを防ぐことができる。
【００２３】
規制部材は、合成樹脂によって形成されており、非規制状態から規制状態に弾性変形するように構成されていてもよい。規制部材を合成樹脂によって形成することにより、外力を付加することによって非規制状態とすることができ、かつ非規制状態の規制部材を弾性変形によって規制状態に戻すことができる。
【００２４】
例えば、ゴムやバネ等の弾性部材によって規制部材を非規制状態に変形するように構成することも可能である。しかし、規制部材と別個に弾性部材を設けると、部品点数が増加してしまう。一方、規制部材を合成樹脂によって形成し、規制部材自体の材質の性質によって変形するように構成することにより、規制部材を移動するための弾性部材等の部品が不要となり、部品点数の削減を図ったり、スペース効率を向上させたりすることが可能となる。
【００２５】
規制部材の所定範囲外の移動を規制するストッパ部材を更に備えており、所定範囲は、規制部材が弾性変形する範囲であって、かつ規制部材が塑性変形しない範囲であってもよい。合成樹脂は、弾性変形する範囲においては変形しても元の状態に戻るが、一旦塑性変形してしまうと元の状態に戻ることができず、仮に戻ったとしても歪みが生じ、強度が低下したり、位置がずれてしまったりするおそれがある。
【００２６】
しかし、規制部材の移動範囲を制限するストッパ部材を設けることにより、規制部材の弾性変形を許容する一方、規制部材の塑性変形を阻止することができる。したがって、規制部材が塑性変形することによる不具合の発生を抑制することが可能となる。
【００２７】
開閉部材は、遊技盤の表面に形成された遊技領域を流下する遊技球が入球する入球部材の後方を覆うように配置されるように構成されていてもよい。入球装置の後方を覆うように開閉部材を設けて、入球装置の後方へのアクセスを防止することにより、入賞球検出スイッチを誤作動させて賞球を獲得するという不正行為を効果的に防止することができる。
【００２８】
本発明の更なる目的又はその他の特徴は、以下添付図面を参照して説明される好ましい実施の形態によって明らかにされるであろう。
【発明の効果】
【００２９】
本発明によれば、ロック部材と規制部材とが設けられているため、規制部材によるロック部材の移動規制と、ロック部材による開閉部材の移動規制と、を解除しなければ開閉部材を閉鎖位置から開放位置に移動することができないため、遊技盤の後面に対するアクセスをし難くすることができる。
【００３０】
また、規制部材を一旦非規制状態に変形させても、外力を除去すると元の規制状態に戻るように構成されているため、規制部材に対して外力を付加した状態でロック部材を操作しなければ開閉部材を開放位置に移動することができない。すなわち、単なるスライド移動等単純な操作のみでは開閉部材の移動規制を解除できず、不正なアクセスを効果的に防止することができる。したがって、遊技盤の後面への不正アクセスを防止して、入賞球検出スイッチを誤作動させて賞球を獲得するという不正行為を防止することができる。
【００３１】
また、規制状態においてロック部材がロック位置から非ロック位置に向かって移動することによって、規制部材が規制状態から非規制状態に向かう方向と反対方向に移動するよう構成することにより、規制状態においてロック部材が非ロック位置に向かって移動した場合において、規制部材を更に非規制状態から遠ざけることができ、不正行為を起因として規制部材によるロック部材の移動規制が解除されることを防ぐことができる。
【図面の簡単な説明】
【００３２】
【図１】実施の形態１に係る遊技機枠ユニットを有するパチンコ機の正面図である。
【図２】図１に示すパチンコ機の背面図である。
【図３】遊技機枠ユニットを構成する前枠の下部を拡大した背面図である。
【図４】開閉部材を開放した前枠の斜視図である。
【図５】前枠のロック部材部分の拡大斜視図である。（ａ）は右上後方から視認した図であり、（ｂ）は左下前方から視認した図である。
【図６】図３に示すＡ部分の拡大図であり、ロック部材のロック位置から非ロック位置への移動態様を示した図である。
【図７】図３に示すＡ部分の拡大図であり、規制部材によるロック部材の移動規制態様を示した図である。
【発明を実施するための形態】
【００３３】
以下、本発明の実施の形態について図面を用いて説明する。図１は、本発明の実施の形態に係る遊技機枠ユニット３を有するパチンコ機（遊技機）２の正面図であり、図２は、図１に示すパチンコ機２の背面図である。このパチンコ機２は、遊技機枠ユニット３、遊技盤ユニット５、ガラス１０、発射ユニット（図示せず）、球皿１４等を有している。発射ユニットは、１個ずつ遊技球２３を遊技盤ユニット５に構成される遊技領域１６に向けて発射可能に構成されている。
【００３４】
パチンコ機２は、遊技者が後述する発射装置ハンドル１５を操作することによって、遊技領域１６に向けて球が発射ユニットによって発射され、球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００３５】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３６】
パチンコ機２の遊技機枠ユニット３は、後述する遊技盤ユニット５を保持するためのものであり、このパチンコ機２の周囲側面及び前方を囲むように構成されている。遊技機枠ユニット３の内部側には、遊技盤ユニット５の他にも後述する各種制御基板や遊技球用の経路、及び遊技球の発射装置等各種機構部品が配置され、遊技機枠ユニット３によって周囲側面及び前方からのパチンコ機２内部側への不正アクセスが防止されるようになっている。
【００３７】
パチンコ機２の周囲を囲む外枠４、その内側に前方開閉可能にヒンジ２２を介して揺動支持されて遊技盤ユニット５を保持する前枠９、前枠９の前方に前方開閉可能に揺動支持されガラス１０及びその周囲を装飾する装飾部材３２を保持するガラス枠１２、を有して遊技機枠ユニット３が構成される。
【００３８】
ガラス１０は、遊技機枠ユニット３内部側に保持された遊技盤６を前方から遊技者が視認することができるようにするための透明部材である。ガラス１０は、遊技盤６に対して一定距離以上離間して配置された透明板である。ガラス１０は、２枚の透明平板ガラスで形成されてガラス枠１２の後面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００３９】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００４０】
発射ユニット（図示せず）は、球送り装置（図示せず）によって球皿１４の一部としての上球皿１４ａから発射位置に送り出された遊技球２３を遊技領域１６の上部に向けて発射（弾球）するためのものである。発射ユニットは、前枠９の下部に取り付けられており、発射位置の遊技球２３を弾球する発射杆、その発射杆を駆動する発射モータ、発射杆を付勢して弾球力を発生させる発射バネを有している。
【００４１】
遊技盤ユニット５は、遊技盤面（遊技盤の表面）６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００４２】
遊技盤６は、その表面側に遊技球２３の流下による遊技を実現するための遊技領域１６を構成するための盤状部材であり、遊技盤６を前方から遊技者にとって視認可能となるように遊技機枠ユニット３の一部としての前枠９に保持されている。
【００４３】
遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４４】
遊技釘２７は、遊技領域１６を流下する遊技球２３と衝突してその流下方向を変更させる流下変更部材であり、多数が遊技領域１６内に配置されている。また、遊技領域１６には、普通入賞口２８、始動入賞口２９、大入賞口３１等の入球部材及びアウト口３０が配置されている。
【００４５】
これらの入球部材及びアウト口３０は、遊技盤６を前後方向に貫通して装着されており、遊技盤面６ａに形成された遊技領域１６を流下する遊技球２３が流入し、流入した遊技球２３を遊技盤６の後面６ｂ側に導くように構成されている。遊技盤６の後面６ｂには、これらの入球部材及びアウト口３０の後方を覆うように裏セット部材４０が装着されている。この裏セット部材４０については、後述にて詳細に説明する。
【００４６】
更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００４７】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４８】
遊技盤６の後面６ｂ側には、パチンコ機２の全体の制御を行う遊技制御手段としての主制御基板を収容した主制御基板ケース３５と、演出表示装置７ａの画像表示の制御等を行う演出制御基板を収容した演出制御基板ケース３６と、が配置されている。また、裏セット部材４０の後方には、賞球払出ユニット６０による賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の後面６ｂ側には、パチンコ機２の遊技状態等の遊技情報を外部に出力するための外部出力端子板３９が設けられている。
【００４９】
また、パチンコ機２の背面には、複数のパチンコ機２が隣接して配置された遊技機島に設けられた遊技球循環装置（図示せず）から供給された遊技球２３を一時的に貯留するための遊技球貯留タンクと、遊技球貯留タンクからの遊技球２３が流入し、この遊技球２３を１球ずつ通過させる賞球払出ユニット６０と、が設けられている。
【００５０】
賞球払出ユニット６０は、払出制御手段によって駆動制御されるように構成されており、各種入賞口への遊技球２３の入球や、遊技者からの遊技球２３の貸出し要求に応じて、遊技者に遊技球２３を供給するように構成されている。
【００５１】
発射ユニットにより遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球払出しの契機となり、あるものはいずれの入球装置にも流入せずに遊技領域１６内最下部に位置するアウト口３０に流入してアウト球としてパチンコ機２の外部側へと排出される。
【００５２】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００５３】
次いで、図３から図７に基づいて裏セット部材４０について詳細に説明する。図３は遊技機枠ユニット３を構成する前枠９の下部部分の拡大背面図である。なお、図３においては、説明の便宜上、払出制御基板ケース３７と電源基板ケース３８とを外した状態を示している。裏セット部材４０は、前枠９の背面に装着されており、遊技盤６の後面６ｂの下部近傍を覆うように配置されている。裏セット部材４０は、電源基板ケース３８が装着されるベース部材４１と、払出制御基板ケース３７が装着される開閉部材４２と、開閉部材４２の移動を規制するロック部材４３と、ロック部材４３の移動を規制する規制部材４４と、を有している。
【００５４】
開閉部材４２は、前枠９の左端部に設けられたヒンジ部９ａを中心に揺動開閉され、遊技盤６の後面６ｂを覆う閉鎖位置と、遊技盤６の後面を開放した開放位置と、の間を移動する。図３は、開閉部材４２が閉鎖位置の状態を示した図であり、ロック部材４３によって開閉部材４２の移動が規制されている。図４は、開閉部材４２が開放位置の状態を示した前枠９の斜視図である。図５は、開閉部材４２が閉鎖位置の状態におけるロック部材４３を拡大した斜視図である。
【００５５】
図４に示すように、開閉部材４２が開放位置の状態では、遊技盤６の後面６ｂの下部が開放されており、遊技領域１６の下部に設けられたアウト口３０が視認可能となる。また、アウト口３０の下方には、アウト口３０に入球した遊技球２３や普通入賞口２８等入球部材に入球した遊技球２３が流入し、これらの遊技球２３を集める遊技済球回収路４６と、遊技済球回収路４６に流入した遊技球２３をパチンコ機２の下方に導く回収球通路４７と、が設けられている。回収球通路４７は、ベース部材４１の前面に形成されている。回収球通路４７を通過した遊技球２３は、パチンコ機２外部へ排出される。
【００５６】
ロック部材４３は、ベース部材４１の後面の左端部に突設された突起部４１ａと、開閉部材４２の右端部に形成された係合部４２ａと、が各々挿入されるスリット部４３ａが形成されている。ロック部材４３は、上下方向にスライド移動されるように構成されており、上端に位置し開閉部材４２の移動を規制するロック位置と、下端に位置し開閉部材４２の移動を規制しない非ロック位置と、の間を上下方向にスライド移動する。
【００５７】
ロック位置の状態では、閉鎖位置の開閉部材４２の係合部４２ａと突起部４１ａとがスリット部４３ａ内に挿入されており、ロック部材４３によって突起部４１ａと係合部４２ａとが挟持され、開閉部材４２の開放位置に向けての移動が規制される。ロック位置から下方に移動されると非ロック位置となり、スリット部４３ａから突起部４１ａが抜け、開閉部材４２が開放位置に向けて移動可能となる。
【００５８】
ロック部材４３の上方には、規制部材４４が設けられている。規制部材４４は、ベース部材４１の後面において後方に突出して形成されている。規制部材４４は、ベース部材４１と一体化されており、ベース部材４１と共に合成樹脂によって形成されている。規制部材４４は、後方に突出した板形状であり、その下面４４ａは、左側が下降するように傾斜している。また、規制部材４４の左側部４４ｂは、前方に向けて傾斜している。規制部材４４は、手指等で押圧されることにより弾性変形可能に構成されており、押圧されて右方に湾曲した非規制状態と、押圧が解除された規制状態と、を実現する。
【００５９】
規制部材４４の右方には、規制部材４４の移動範囲を画定するストッパ部材４５が設けられている。ストッパ部材４５は、ベース部材４１の後面において後方に突出して形成されている。ストッパ部材４５は、非規制状態に移動した規制部材４４と接するように配置されている。規制部材４４は、ストッパ部材４５と接する非規制状態では弾性変形している。しかし、非規制状態よりも更に右側に移動すると塑性変形する。ストッパ部材４５によって、規制部材４４の塑性変形を防止しており、塑性変形に基づく不具合の発生が抑制されている。
【００６０】
次いで、図６及び図７に基づいて規制部材４４の変形態様について詳細に説明する。図６は、ロック部材４３のロック位置から非ロック位置への移動態様を示しており、図７は、規制部材４４によるロック部材４３の移動規制態様を示している。図６（ａ）は、規制部材４４によってロック部材４３の移動を規制した規制状態を示している。この状態では、ロック部材４３の非ロック位置に向かう移動方向（上方）に規制部材４４が配置されており、ロック部材４３の解除方向への移動が規制されている。
【００６１】
（ａ）に示す状態において指等で右方に規制部材４４を押圧すると、規制部材４４が右方に変形して（ｂ）に示す状態となる。右方に押圧された規制部材４４は、ベース部材４１に固定された根元から湾曲して、後端面４４ｃがストッパ部材４５に当接する。ストッパ部材４５は、規制部材４４の上端と下端とに当接するように２箇所設けられており、規制部材４４の右方向への移動を規制する。
【００６２】
このストッパ部材４５と規制部材４４とが当接した状態では、ロック部材４３の上方が開放されており、規制部材４４がロック部材４３の移動を規制しない非規制状態となる。非規制状態においてロック部材４３が上方に移動可能となり、（ｃ）に示すようにロック部材４３を非ロック位置に向かって上方に移動することにより、ロック部材４３による開閉部材４２の規制が解除される。このようにロック部材４３を非ロック位置に移動することにより、開閉部材４２を閉鎖位置から開放位置に移動することができる状態となる。
【００６３】
また、開閉部材４２が閉鎖位置の状態においてロック部材４３を下方に移動することにより、再びロック部材４３がロック位置となり、更に規制部材４４への押圧を解除すると、規制部材４４は変形前の状態に戻り、再び規制状態となる。
【００６４】
なお、ロック部材４３は、開放位置に移動した状態においても開閉部材４２に装着されており、開閉部材４２の移動規制を解除した状態（非ロック位置の状態）で開閉部材４２と共に開閉移動される。開閉部材４２は、ヒンジ部９ａを中心に開閉移動されるように構成されており、開閉部材４２を閉鎖位置に向けて移動すると、非ロック位置のロック部材４３と規制部材４４とが衝突する。このとき、規制部材４４の左側部４４ｂは、前方に向けて傾斜しているため、規制部材４４の左側部４４ｂに沿ってロック部材４３を移動させることができ、開閉部材４２を円滑に閉鎖位置に導くことができる。
【００６５】
このように、本実施の形態に係る遊技機枠ユニット３によれば、まず、規制部材４４を規制状態から非規制状態として、次いで、ロック部材４３をロック位置から非ロック位置に移動することにより、開閉部材４２を閉鎖位置から開放位置に移動することができる。すなわち、規制部材４４によるロック部材４３の移動規制と、ロック部材４３による開閉部材４２の移動規制と、を解除しなければ開閉部材４２を閉鎖位置から開放位置に移動することができないため、遊技盤６の後面６ｂに対する不正アクセスをし難くすることができる。
【００６６】
また、規制部材４４がロック部材４３の移動を規制した規制状態では、ロック部材４３を上方に移動しても、規制部材４４によるロック部材４３の移動規制を解除できないように構成されている。図７は、規制部材４４がロック部材４３の移動を規制した規制状態においてロック部材４３を解除方向に移動した態様を模式的に示した図である。
【００６７】
（ａ）は、規制部材４４がロック部材４３の移動を規制した規制状態を示している。この状態においてロック部材４３を非ロック位置に向かう上方に移動すると、（ｂ）に示すように規制部材４４の下面４４ａにロック部材４３が接する。更にロック部材４３を上方に移動すると、規制部材４４の下面４４ａがロック部材４３によって押圧され、下面４４ａの傾斜に沿って規制部材４４が左方に変形して（ｃ）に示す状態となる。
【００６８】
このように、規制部材４４の下面４４ａが傾斜しているため、ロック部材４３によって下方から押圧された際に、規制部材４４を非規制状態に向かう左方向と反対となる右方向に変形させて、規制部材４４を非規制状態から遠ざけることができる。したがって、不正具等によって不正に開閉部材４２が開放されることを防ぐことができる。
【００６９】
以上、本発明の好ましい実施の形態を説明したが、本発明はこれらに限定されるものではなく、その要旨の範囲内で様々な変形や変更が可能である。
【符号の説明】
【００７０】
２：パチンコ機（遊技機）
３：遊技機枠ユニット
４：外枠
５：遊技盤ユニット
６：遊技盤
６ａ：遊技盤面（遊技盤の表面）
６ｂ：後面
７：センター役物
７ａ：演出表示装置
７ｂ：表示部
７ｃ：表示図柄
７ｄ：表示開口部
９：前枠
９ａ：ヒンジ部
１０：ガラス
１２：ガラス枠
１４：球皿
１４ａ：上球皿
１４ｂ：下球皿
１４ｃ：球抜き部材
１５：発射装置ハンドル
１６：遊技領域
２２：ヒンジ
２３：遊技球
２６：レール飾り
２６ａ：外レール
２７：遊技釘
２８：普通入賞口
２９：始動入賞口
３０：アウト口
３１：大入賞口
３２：装飾部材
３３：ゲート
３４：風車
３５：主制御基板ケース
３６：演出制御基板ケース
３７：払出制御基板ケース
３８：電源基板ケース
３９：外部出力端子板
４０：裏セット部材
４１：ベース部材
４１ａ：突起部
４２：開閉部材
４２ａ：係合部
４３：ロック部材
４３ａ：スリット部
４４：規制部材
４４ａ：下面
４４ｂ：左側部
４４ｃ：後端部
４５：ストッパ部材
４６：遊技済球回収路
４７：回収球通路
６０：賞球払出ユニット
【図１】
2011139763.tif 000003
【図２】
2011139763.tif 000004
【図３】
2011139763.tif 000005
【図４】
2011139763.tif 000006
【図５】
2011139763.tif 000007
【図６】
2011139763.tif 000008
【図７】
2011139763.tif 000009